(57)【特許請求の範囲】
【請求項１】
それぞれ識別情報を有する複数の貨幣収納カセットの少なくともいずれか１つが装填される貨幣入金装置であって、
投入された貨幣を１枚ずつ取り込む受入部と、
取り込まれた貨幣を識別計数する識別部と、
識別計数された貨幣を、装填されている貨幣収納カセットへ搬送する搬送部と、
装填されている貨幣収納カセットの前記識別情報を検出する検出部と、
前記複数の貨幣収納カセットの各々に収納された貨幣の在高情報を記憶する記憶部と、  検出された前記識別情報に基づいて、前記識別部による計数結果を、装填されている貨幣収納カセットに対応する前記記憶部内の記憶領域に書き込む制御部と、
を備え、
前記記憶部が、前記検出部により検出された識別情報に対応する貨幣収納カセットの在高情報を記憶していない場合、前記制御部は、当該識別情報に対応する記憶領域を前記記憶部に新たに作成し、前記識別部による計数結果を当該記憶領域に書き込むことを特徴とする貨幣入金装置。
【請求項２】
前記記憶部が前記検出部により検出された識別情報に対応する貨幣収納カセットの在高情報を記憶していないことを示すメッセージを表示する表示部をさらに備えることを特徴とする請求項１に記載の貨幣入金装置。
【請求項３】
前記制御部は、装填されている貨幣収納カセットに対応する前記在高情報に、前記識別部による計数結果を加算することを特徴とする請求項１または２に記載の貨幣入金装置。
【請求項４】
装填されている貨幣収納カセットの取り外しに伴い、当該貨幣収納カセットに対応する前記記憶部に記憶されている在高情報を消去するか否かの指示を受け付ける指示受付部をさらに備え、
前記制御部は、前記指示受付部を介して、前記在高情報を消去するという指示を受け付けた場合、前記貨幣収納カセットの取り外しに伴い、当該貨幣収納カセットに対応する前記記憶部に記憶されている在高情報を消去し、前記在高情報を消去しないという指示を受け付けた場合、前記貨幣収納カセットの取り外しに伴い、当該貨幣収納カセットに対応する在高情報を前記記憶部に保持させておくことを特徴とする請求項１乃至３のいずれかに記載の貨幣入金装置。
【請求項５】
前記指示受付部は、操作者のＩＤ情報を読み取る読取部を有し、
前記制御部は、前記読取部により読み取られたＩＤ情報が店員を示す場合、前記貨幣収納カセットの取り外しに伴い、当該貨幣収納カセットに対応する在高情報を前記記憶部に保持させておき、前記読取部により読み取られたＩＤ情報が回収員を示す場合、前記貨幣収納カセットの取り外しに伴い、当該貨幣収納カセットに対応する前記記憶部に記憶されている在高情報を消去することを特徴とする請求項４に記載の貨幣入金装置。
【請求項６】
投入された貨幣を１枚ずつ取り込む受入部と、
取り込まれた貨幣を識別計数する識別部と、
取り外し及び装填が可能であり、識別計数された貨幣を収納する収納カセットと、
前記収納カセットに収納された貨幣の計数結果を在高情報として記憶する記憶部と、
前記収納カセットの取り外しに伴い、前記記憶部に記憶されている前記在高情報を消去するか否かの指示を受け付ける指示受付部と、
前記指示受付部を介して、前記在高情報を消去するという指示を受け付けた場合、前記収納カセットの取り外しに伴い前記記憶部から前記在高情報を消去し、前記在高情報を消去しないという指示を受け付けた場合、前記収納カセットの取り外しに伴い、前記記憶部に前記在高情報を保持させておく制御部と、
を備える貨幣入金装置。
【請求項７】
前記在高情報を消去しないという指示に対応する前記収納カセットが、取り外し後に再装填された場合、前記制御部は、前記受入部から取り込まれた貨幣についての、前記識別部による計数結果を、前記在高情報に加算して前記記憶部に記憶させることを特徴とする請求項５に記載の貨幣入金装置。
【請求項８】
前記指示受付部は、操作者のＩＤ情報を読み取る読取部を有し、
前記制御部は、前記読取部により読み取られたＩＤ情報が店員を示す場合、前記貨幣収納カセットの取り外しに伴い、当該貨幣収納カセットに対応する在高情報を前記記憶部に保持させておき、前記読取部により読み取られたＩＤ情報が回収員を示す場合、前記貨幣収納カセットの取り外しに伴い、当該貨幣収納カセットに対応する前記記憶部に記憶されている在高情報を消去することを特徴とする請求項６又は７に記載の貨幣入金装置。
【発明の詳細な説明】
【技術分野】
【０００１】
本発明は、店舗の売上金等の貨幣が入金され、入金貨幣を収納する収納カセットが脱着可能な貨幣入金装置に関するものである。
【背景技術】
【０００２】
スーパーマーケット等の小売店は、売上金を入金する機能を有する入金装置を店舗内に設置し、売上金の管理を行っている。入金装置は、貨幣の機内への取り込み、金種等の識別、入金額の計数、入金処理データの記憶等を行い、入金貨幣を収納カセットに収納する。
【０００３】
従来の入金装置は、収納カセット内の貨幣の防盗性を確保するため、収納カセットの収納部を金庫状にしていた。例えば、厚板を用いて装置を強固な構造にしたり、ロック機構を金庫と同様のダイヤル式のロック機構にしたりしていた。
【０００４】
ロック機構を比較的簡易なロック機構にしたり、薄板を用いて装置を構成したりして、昼間の運用時間帯は最低限の防盗性を確保し、無人となる夜の時間帯は、収納カセットを入金装置から取り出して金庫室に保管することで、装置コストを低減し、かつ、収納カセットの防盗性を確保できる。
【０００５】
しかし、従来の入金装置は、収納カセットを装置から取り出すと、記憶していた入金処理データを消去（クリア）していた（例えば特許文献１、２参照）。従って、入金装置に収納カセットを再度装填しても、再装填後の入金処理データを、収納カセット取り出し前の入金処理データに継続させて取り扱うことが出来ないという問題があった。
【先行技術文献】
【特許文献】
【０００６】
【特許文献１】特許第３３４０１７６号明細書
【特許文献２】特許第４３３１０３１号明細書
【発明の概要】
【発明が解決しようとする課題】
【０００７】
本発明は、装置本体から取り出された貨幣収納カセット内の貨幣のデータを記憶できる貨幣入金装置を提供することを目的とする。
【課題を解決するための手段】
【０００８】
本発明の一態様による貨幣入金装置は、それぞれ識別情報を有する複数の貨幣収納カセットの少なくともいずれか１つが装填される貨幣入金装置であって、投入された貨幣を１枚ずつ取り込む受入部と、取り込まれた貨幣を識別計数する識別部と、識別計数された貨幣を、装填されている貨幣収納カセットへ搬送する搬送部と、装填されている貨幣収納カセットの前記識別情報を検出する検出部と、前記複数の貨幣収納カセットの各々に収納された貨幣の在高情報を記憶する記憶部と、検出された前記識別情報に基づいて、前記識別部による計数結果を、装填されている貨幣収納カセットに対応する前記記憶部内の記憶領域に書き込む制御部と、を備えるものである。
【０００９】
本発明の一態様による貨幣入金装置においては、前記制御部は、装填されている貨幣収納カセットに対応する前記在高情報に、前記識別部による計数結果を加算することが好ましい。
【００１０】
本発明の一態様による貨幣入金装置においては、前記記憶部が、前記検出部により検出された識別情報に対応する貨幣収納カセットの在高情報を記憶していない場合、前記制御部は、当該識別情報に対応する記憶領域を前記記憶部に新たに作成し、前記識別部による計数結果を当該記憶領域に書き込むことが好ましい。
【００１１】
本発明の一態様による貨幣入金装置においては、前記記憶部が前記検出部により検出された識別情報に対応する貨幣収納カセットの在高情報を記憶していないことを示すメッセージを表示する表示部をさらに備えることが好ましい。
【００１２】
本発明の一態様による貨幣入金装置においては、装填されている貨幣収納カセットの取り外しに伴い、当該貨幣収納カセットに対応する前記記憶部に記憶されている在高情報を消去するか否かの指示を受け付ける指示受付部をさらに備え、前記制御部は、前記指示受付部を介して、前記在高情報を消去するという指示を受け付けた場合、前記貨幣収納カセットの取り外しに伴い、当該貨幣収納カセットに対応する前記記憶部に記憶されている在高情報を消去し、前記在高情報を消去しないという指示を受け付けた場合、前記貨幣収納カセットの取り外しに伴い、当該貨幣収納カセットに対応する在高情報を前記記憶部に保持させておくことが好ましい。
【００１３】
本発明の一態様による貨幣入金装置においては、前記指示受付部は、操作者のＩＤ情報を読み取る読取部を有し、前記制御部は、前記読取部により読み取られたＩＤ情報が店員を示す場合、前記貨幣収納カセットの取り外しに伴い、当該貨幣収納カセットに対応する在高情報を前記記憶部に保持させておき、前記読取部により読み取られたＩＤ情報が回収員を示す場合、前記貨幣収納カセットの取り外しに伴い、当該貨幣収納カセットに対応する前記記憶部に記憶されている在高情報を消去することが好ましい。
【００１４】
本発明の一態様による貨幣入金装置は、投入された貨幣を１枚ずつ取り込む受入部と、取り込まれた貨幣を識別計数する識別部と、取り外し及び装填が可能であり、識別計数された貨幣を収納する収納カセットと、前記収納カセットに収納された貨幣の計数結果を在高情報として記憶する記憶部と、前記収納カセットの取り外しに伴い、前記記憶部に記憶されている前記在高情報を消去するか否かの指示を受け付ける指示受付部と、前記指示受付部を介して、前記在高情報を消去するという指示を受け付けた場合、前記収納カセットの取り外しに伴い前記記憶部から前記在高情報を消去し、前記在高情報を消去しないという指示を受け付けた場合、前記収納カセットの取り外しに伴い、前記記憶部に前記在高情報を保持させておく制御部と、を備えるものである。
【００１５】
本発明の一態様による貨幣入金装置においては、前記在高情報を消去しないという指示に対応する前記収納カセットが、取り外し後に再装填された場合、前記制御部は、前記受入部から取り込まれた貨幣についての、前記識別部による計数結果を、前記在高情報に加算して前記記憶部に記憶させることが好ましい。
【００１６】
本発明の一態様による貨幣入金装置においては、前記指示受付部は、操作者のＩＤ情報を読み取る読取部を有し、前記制御部は、前記読取部により読み取られたＩＤ情報が店員を示す場合、前記貨幣収納カセットの取り外しに伴い、当該貨幣収納カセットに対応する在高情報を前記記憶部に保持させておき、前記読取部により読み取られたＩＤ情報が回収員を示す場合、前記貨幣収納カセットの取り外しに伴い、当該貨幣収納カセットに対応する前記記憶部に記憶されている在高情報を消去することが好ましい。
【発明の効果】
【００１７】
本発明によれば、貨幣入金装置は、装置本体から取り出された貨幣収納カセット内の貨幣のデータを記憶し、貨幣収納カセットが再度装填された後の入金処理データを、貨幣収納カセット取り出し前の入金処理データに継続させて取り扱うことが出来できる。
【図面の簡単な説明】
【００１８】
【図１】本発明の第１の実施形態に係る貨幣入金装置の断面の概略構成図である。
【図２】同第１の実施形態に係る貨幣入金装置の機能ブロック図である。
【図３】同第１の実施形態に係る貨幣入金装置の外観斜視図である。
【図４】同第１の実施形態に係る入金処理を説明するフローチャートである。
【図５】同第１の実施形態に係る収納カセット取り出し処理を説明するフローチャートである。
【図６】本発明の第２の実施形態に係る貨幣入金装置の機能ブロック図である。
【図７】記憶部に記憶される在高情報の一例を示す図である。
【発明を実施するための形態】
【００１９】
以下、本発明の実施の形態を図面に基づいて説明する。
【００２０】
（第１の実施形態）図１に本発明の第１の実施形態に係る貨幣入金装置の断面の概略構成を示し、図２に機能ブロック図を示し、図３に外観斜視図を示す。ここでは、紙幣の入金を行う貨幣入金装置について説明する。
【００２１】
図１に示すように、貨幣入金装置は、筐体１と、筐体１に設けられて複数の紙幣Ｐが載置される載置部２０と、載置部２０に載置された複数の紙幣Ｐを１枚ずつ筐体１内に取り込む受入部１０１と、受入部１０１により取り込まれた紙幣Ｐを搬送する搬送部１０２と、搬送部１０２で搬送された紙幣Ｐを集積する集積部１０６と、搬送部１０２に設けられ、当該搬送部１０２で搬送される紙幣Ｐの金種や真偽等を識別するとともに計数（識別計数）する識別部１０３と、集積部１０６に集積された紙幣Ｐを受け入れて収納する収納カセット１０９と、を備えている。
【００２２】
このうち、受入部１０１は、図１に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１の内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００２３】
また、図１に示すように、搬送部１０２は、紙幣Ｐを搬送する搬送ベルト３１、搬送ローラ３２等で構成されている。また、搬送部１０２の最下流部で、集積部１０６近傍には、搬送部１０２で搬送された紙幣Ｐを１枚毎に羽根１０５ａの間で受け止めて集積部１０６に整列集積させる羽根車１０５が設けられている。
【００２４】
また、図１に示すように、集積部１０６は、集積紙幣Ｐを前面側に傾斜させた状態で集積させる形状となっており、搬送部１０２から送られた紙幣Ｐを支持部６４で支持させることで、前面側に傾斜させた立位状態で紙幣Ｐを集積するように構成されている。なお、本願で前面側とは、操作者が紙幣Ｐを載置部２０に載置したり、後述する前面シャッター部６２を開放させることで集積部１０６から紙幣Ｐを取り出したりする側のことを意味し、図１の右側のことを意味している。他方、本願で後面側とは、前面側と反対側を意味し、図１の左側のことを意味している。
【００２５】
集積部１０６の前面側には前面シャッター部６２が設けられている。この前面シャッター部６２は、後述する制御部１０４によって、少なくとも挟持搬送機構１０（後述）によって紙幣Ｐを収納カセット１０９へ搬送しているときに開放不可能となるように制御されている。集積部１０６に集積された紙幣は、後述する指示受付部１１５を介して入力される返却指示に基づいて前面シャッター部６２を開放させることにより、外部から取り出すことが可能となる（図１の矢印Ａ２参照）。
【００２６】
また、図１に示すように、集積部１０６には、当該集積部１０６に集積された紙幣Ｐの表面を挟持し、その表面と平行な方向へ当該紙幣Ｐを搬送することで収納カセット１０９へ紙幣Ｐを収納させる挟持搬送機構１０が設けられている。より具体的には、挟持搬送機構１０は、集積部１０６に集積された複数の紙幣Ｐのうち最も前面側に位置する紙幣Ｐの表面と最も後面側に位置する紙幣Ｐの表面を挟持し、当該複数の紙幣Ｐを一括して収納カセット１０９へ搬送することができるように構成されている（図１の矢印Ａ１参照）。集積部１０６に集積された紙幣は、指示受付部１１５を介して入力される収納指示に基づいて、収納カセット１０９へ搬送され、収納される。
【００２７】
図１に示すように、収納カセット１０９には、挟持搬送機構１０で搬送される紙幣Ｐを取り込むためのスリット状のスリット開口部７１と、当該スリット開口部７１を開閉するためのスリットシャッター部１０８が設けられている。なお、図３に示すように、収納カセット１０９は、ロック部材７６によってロック可能な収納筐体７５内に取り出し自在に配置されている。
【００２８】
収納カセット１０９は、扉１３０を開けて、紙幣入金装置への装填及び取り外しが可能である。収納カセットの取り外しは店員や、回収業務を委託された警備会社の警備員（回収員）により行われる。店員によって取り外された収納カセットは店舗内の金庫室等に保管される。警備員により取り外された収納カセットは、現金処理センターへ移送される。警備員は、収納カセット内の貨幣のみを回収し、収納カセットを装置に再装填する場合もある。
【００２９】
また、図１に示すように、搬送部１０２には、異常時に、集積部１０６に搬送されない紙幣Ｐが搬送されるリジェクト部１０７が設けられている。ここでいう異常とは、識別異常および搬送異常を意味している。識別異常とは、識別部１０３で識別された紙幣Ｐの情報が後述する制御部１０４に通知され、制御部１０４が、記憶部１２０に予め記憶された情報と比較した比較結果が一致しない場合のことを意味している。そして、このような識別異常としては、例えば、識別された紙幣Ｐが予定していた金種と異なる種類の紙幣Ｐであると識別されたときや、そもそも紙幣Ｐの金種を識別することができなかったときなどを挙げることができる。また、搬送異常とは、搬送部１０２によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００３０】
また、図３に示すように、貨幣入金装置の筐体１には、所定の情報を表示する機能を有する表示部１１６とデータ入力を可能とする機能を有する指示受付部１１５が設けられている。また、筐体１には、操作者のＩＤ情報を読み取るスリット状のカードリーダ（読取部）１１７が設けられている。読取部１１７は、読み取ったＩＤ情報を制御部１０４に通知する。ＩＤ情報は、操作者が店員であるか、又は警備員（回収員）であるかを示す。
【００３１】
図２に示すように、制御部１０４は、貨幣入金装置の各部に接続され、制御を行う。制御部１０４は、識別部１０３による紙幣の識別結果に基づいて、正常紙幣が集積部１０６へ搬送され、リジェクト紙幣がリジェクト部１０７へ搬送されるように、搬送部１０２を制御する。また、制御部１０４は、紙幣が異常と判定された要因を表示部１１６に表示させてもよい。制御部１０４は、収納カセット１０９の装填や取り外しを検知することができる。
【００３２】
制御部１０４は、識別部１０３による計数結果を、収納カセット１０９に収納されている貨幣の在高情報として、記憶部１２０に書き込むことができる。制御部１０４は、計数結果の書き込みの際に、記憶部１２０に既に在高情報が記憶されている場合、この在高情報に計数結果を加算して、在高情報を更新する。また、制御部１０４は、記憶部１２０に記憶されている在高情報を消去することができる。在高情報は、例えば、貨幣の金種、枚数及び合計金額である。
【００３３】
表示部１１６は、識別部１０３による計数結果や、収納カセット１０９の在高情報を表示することができる。
【００３４】
指示受付部１１５は、操作者から、集積部１０６に集積されている紙幣を収納カセット１０９に収納させる収納指示を受け付ける。また、指示受付部１１５は、操作者から、集積部１０６に集積されている紙幣を返却する返却指示を受け付ける。また、指示受付部１１５は、操作者から、収納カセット１０９の取り外しに伴い、記憶部１２０に記憶されている在高情報を保持させておくか、又は消去するかの指示を受け付ける。
【００３５】
制御部１０４は、指示受付部１１５が操作者から受け付けた指示に基づいて、収納カセット１０９の取り外しに伴い、記憶部１２０に記憶されている在高情報を保持させたままにしておいたり、消去したりする。記憶部１２０に不揮発性メモリを設け、記憶部１２０に保持させたままにしておく在高情報はこの不揮発性メモリに書き込むようにしてもよい。これにより、貨幣入金装置の電源をオフにしても、在高情報が保持される。
【００３６】
記憶部１２０に在高情報を保持させておくと、取り外した収納カセット１０９を貨幣入金装置に再装填した場合、再装填後の入金貨幣の計数結果を記憶部１２０の在高情報に加算することができる。従って、貨幣入金装置に収納カセット１０９を再装填した後の入金処理データを、収納カセット１０９取り外し前の入金処理データに継続させて取り扱うことができる。
【００３７】
制御部１０４は、読取部１１７から通知された収納カセット１０９の取り外しを行う操作者のＩＤ情報に基づいて、記憶部１２０に記憶されている在高情報の保持／消去を行ってもよい。例えば、収納カセット１０９の取り外しを行う操作者が店員である場合、制御部１０４は、収納カセット１０９の取り外しに伴い、記憶部１２０に記憶されている在高情報を保持させたままにしておく。店員が収納カセット１０９を取り外した場合、収納カセット１０９を店舗内の金庫室等に保管した後に、貨幣入金装置に再装填し、取り外し前の入金処理に継続させて入金処理を行うことが考えられるためである。
【００３８】
一方、収納カセット１０９の取り外しを行う操作者が警備員（回収員）である場合、制御部１０４は、収納カセット１０９の取り外しに伴い、記憶部１２０に記憶されている在高情報を消去する。警備員が収納カセット１０９を取り外した場合、収納カセット１０９（又は収納カセット１０９内の貨幣）は現金処理センターへ移送され、記憶部１２０に記憶されている在高情報を継続して使用する必要はないと考えられるためである。
【００３９】
このように、本実施形態に係る貨幣入金装置によれば、収納カセット１０９を取り外しても、収納カセット１０９内の貨幣の在高情報を記憶部１２０が保持できるため、夜間等の運用外の時間帯は、収納カセット１０９を金庫室等で安全に保管し、昼間等の運用時間帯は、収納カセット１０９の取り外し前の在高情報に継続させて入金貨幣の計数結果を取り扱うことができる。貨幣入金装置は、昼間等の運用時間帯における最低限の防盗性を確保すればよいため、装置コストを低減できる。
【００４０】
このような貨幣入金装置を用いた貨幣の入金処理を図４に示すフローチャートを用いて説明する。
【００４１】
（ステップＳ３０１）入金する紙幣を載置部２０に投入する。
【００４２】
（ステップＳ３０２）受入部１０１により紙幣が１枚ずつ装置内へ取り込まれ、搬送部１０２により搬送される。
【００４３】
（ステップＳ３０３）識別部１０３が紙幣の識別、計数を行う。
【００４４】
（ステップＳ３０４）識別部１０３によりリジェクト紙幣と判定された場合はステップＳ３０６へ進み、正常紙幣と判定された場合はステップＳ３０５へ進む。
【００４５】
（ステップＳ３０５）紙幣が集積部１０６へ搬送され、集積される。
【００４６】
（ステップＳ３０６）紙幣がリジェクト部１０７へ搬送される。
【００４７】
（ステップＳ３０７）載置部２０に紙幣が残っている場合はステップＳ３０２に戻り、残っていない場合はステップＳ３０８へ進む。
【００４８】
（ステップＳ３０８）指示受付部１１５が操作者からの収納指示を受け付けた場合はステップＳ３０９へ進み、操作者からの収納指示がない場合はステップＳ３１０へ進む。
【００４９】
（ステップＳ３０９）集積部１０６に集積されている紙幣が収納カセット１０９に収納される。この時、制御部１０４は、識別部１０３による計数結果を記憶部１２０に書き込む。記憶部１２０に収納カセット１０９に対応する在高情報が記憶されている場合、制御部１０４は計数結果を在高情報に加算する。記憶部１２０に収納カセット１０９に対応する在高情報が記憶されていない場合、制御部１０４は計数結果を収納カセット１０９の在高情報として記憶部１２０に書き込む。
【００５０】
（ステップＳ３１０）指示受付部１１５が操作者からの返却指示を受け付けた場合はステップＳ３１１へ進み、操作者からの返却指示がない場合はステップＳ３０８に戻る。
【００５１】
（ステップＳ３１１）前面シャッター部６２が開放し、集積部１０６に集積されている紙幣が取り出される。
【００５２】
（ステップＳ３１２）ステップＳ３１１で取り出された紙幣について再計数する場合はステップＳ３０１に戻り、再計数しない場合は処理を終了する。
【００５３】
なお、操作者のＩＤ情報の読み取りを行う場合は、例えばステップＳ３０１における紙幣投入前に行う。また、入金紙幣の金額が予め分かっている場合は、ステップＳ３０１の前にテンキー（図示せず）等を用いて金額（申告額）を入力し、ステップＳ３０７とステップＳ３０８との間において、申告額と計数結果との比較結果を表示部１１６に表示するようにしてもよい。
【００５４】
次に、収納カセット１０９の取り外し処理を図５に示すフローチャートを用いて説明する。
【００５５】
（ステップＳ４０１）読取部１１７が、収納カセット１０９の取り外しを行う操作者のＩＤ情報を読み取り、制御部１０４に通知する。
【００５６】
（ステップＳ４０２）収納カセット１０９の取り外しを行う操作者が店員である場合はステップＳ４０３に進み、店員ではない場合（警備員等の回収員の場合）はステップＳ４０４に進む。
【００５７】
（ステップＳ４０３）収納カセット１０９が取り外される。記憶部１２０は在高情報を保持し続ける。
【００５８】
（ステップＳ４０４）収納カセット１０９が取り外される。収納カセット１０９の取り外しに伴い、制御部１０４が、記憶部１２０に記憶されている在高情報を消去する。
【００５９】
図５に示すフローチャートでは、ステップＳ４０１で読み取られた操作者のＩＤ情報に基づいて、収納カセット１０９の取り外しに伴い記憶部１２０に記憶された在高情報を保持するか、又は消去するかを切り替えていたが、指示受付部１１５を介して、在高情報の保持／消去の指示を与えてもよい。指示受付部１１５が、記憶部１２０に記憶された在高情報を保持するという指示を受け付けた場合は、ステップＳ４０３へ進み、記憶部１２０に記憶された在高情報を消去するという指示を受け付けた場合はステップＳ４０４へ進む。
【００６０】
このように、本実施形態によれば、装置本体から取り出された貨幣収納カセット内の貨幣のデータ（在高情報）を記憶しておき、収納カセットの再装填後、入金処理を継続して行うことができる。また、貨幣収納カセットを金庫室等に別保管することで防盗性を確保できる。また、装置本体は最低限の防盗性を有していればよいため、装置コストを削減できる。
【００６１】
（第２の実施形態）図６に本発明の第２の実施形態に係る貨幣入金装置の機能ブロック図を示す。本実施形態は、図２に示す第１の実施形態と比較して、収納カセットが有する識別情報を検出する検出部２０１が設けられている点が異なる。図６において、図２に示す第１の実施形態と同一部分には同一符号を付して説明を省略する。
【００６２】
本実施形態では、複数の収納カセットが準備され、少なくともいずれか１つが貨幣入金装置に装填される。複数の収納カセットは、例えばレジ毎の入金貨幣を収納したり、店舗毎の入金貨幣を収納したりする。
【００６３】
複数の収納カセットはそれぞれ識別情報を有する。例えば、収納カセットに固有の識別情報を有するタグを設ける。検出部２０１はタグリーダであり、タグから識別情報を読み取る。収納カセットの識別情報は、マグネットの位置や、収納カセットに設ける突起の位置など、検出部２０１が複数の収納カセットのいずれであるか特定できるものであればよい。
【００６４】
記憶部１２０は、複数の収納カセットの各々について、在高情報を記憶する。例えば、図７に示すように、３つの収納カセットＣ１〜Ｃ３の各々について、収納されている貨幣の金種、枚数、合計金額を記憶する。
【００６５】
制御部１０４は、入金貨幣の計数結果を記憶部１２０に書き込む際に、装填されている収納カセットに対応する在高情報に計数結果を加算する。制御部１０４は、装填されている収納カセットに対応する在高情報が記憶部１２０に記憶されていない場合、入金貨幣の計数結果を、装填されている収納カセットの在高情報として新たに書き込む。また、制御部１０４は、装填されている収納カセットに対応する在高情報が記憶部１２０に記憶されていない場合、当該収納カセットが在高情報の記憶されていない新規の収納カセットであることを表示部１１６に表示させてもよい。
【００６６】
表示部１１６は、記憶部１２０に記憶されている図７に示すような在高情報を表示してもよい。
【００６７】
収納カセットを装置から取り外すときは、上記第１の実施形態と同様に、指示受付部１１５が受け付けた指示に基づいて、記憶部１２０に記憶された在高情報が保持／消去される。
【００６８】
このように、装置から取り外された収納カセットの在高情報を記憶部１２０に保持しておくことで、複数の収納カセットを使い分けて入金処理を行うことができる。
【００６９】
上記第１及び第２の実施形態では、貨幣入金装置は紙幣の入金処理を行う例について説明したが、硬貨についても同様に入金処理することができる。また、紙幣と硬貨の両方の入金処理を行うこともできる。その場合、紙幣と硬貨それぞれについて収納カセットを設けてもよいし、１つの収納カセットに紙幣及び硬貨を収納してもよい。また、記憶部１２０は、紙幣と硬貨それぞれについて在高情報を記憶することができる。
【００７０】
上記実施形態では、指示受付部１１５が、収納カセット１０９の取り外しに伴い、記憶部１２０の在高情報を保持するか又は消去するかの指示を受け付けていたが、いずれか一方の指示のみを受け付けるようにしてもよい。例えば、指示受付部１１５が、収納カセット１０９の取り外しに伴い記憶部１２０の在高情報を保持する指示のみを受け付ける。収納カセット１０９の取り外しに伴い在高情報を消去することが標準で設定され、指示受付部１１５が在高情報保持の指示を受け付けた場合のみ、収納カセット１０９の取り外しに伴い在高情報を保持させておく。
【００７１】
貨幣入金装置に、入金貨幣の枚数や金額を印字して出力する印字部を設けてもよい。例えば、収納カセットへの貨幣の収納に伴い、入金貨幣の枚数や金額が印字、出力される。また、この印字を、入金処理の途中（計数途中）に行えるようにしてもよい。これにより、操作者は、所望のタイミングで入金貨幣の詳細を確認することができる。このような構成は、表示部１１６の表示画面が小さく、合計金額など１項目しか表示できない場合に好適である。
【００７２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７３】
１０１  受入部
１０２  搬送部
１０３  識別部
１０４  制御部
１０６  集積部
１０７  リジェクト部
１０９  収納カセット
１１５  指示受付部
１２０  記憶部
【図１】
0005542485.tif 000002
【図２】
0005542485.tif 000003
【図３】
0005542485.tif 000004
【図４】
0005542485.tif 000005
【図５】
0005542485.tif 000006
【図６】
0005542485.tif 000007
【図７】
0005542485.tif 000008